(57)【要約】【課題】本発明は脱臭フィルターに関するもので、活性炭の脱臭性能を低下させないように、活性炭に防カビ剤を付加することを目的とするものである。【解決手段】そしてこの目的を達成するために本発明は、活性炭保持体２と、この活性炭保持体２に接着した多数の粒状の活性炭３と、活性炭３の表面に設けた防カビ部４とからなり、防カビ部４は、ホットメルト１８に防カビ剤１９を含有させ、活性炭３の表面の一部に固着したことを特徴としたものである。これにより、活性炭３の脱臭性能の低下を抑制できると共に、活性炭３の表面に発生するカビも抑制できる。【選択図】図５
2015062629.tif 000002
【特許請求の範囲】
【請求項１】
活性炭保持体と、この活性炭保持体に接着した多数の粒状の活性炭と、前記活性炭の表面に設けた防カビ部とからなり、前記防カビ部は、ホットメルトに防カビ剤を含有させ、前記活性炭の表面の一部に固着したことを特徴とする脱臭フィルター。
【請求項２】
前記防カビ部の少なくとも一部は、糸形状であることを特徴とする請求項１に記載の脱臭フィルター。
【請求項３】
前記防カビ部の少なくとも一部は、網目形状を有することを特徴とする請求項２に記載の脱臭フィルター。
【請求項４】
前記防カビ部の一部は、前記活性炭の表面との間に空間部を備えたことを特徴とする請求項２または３に記載の脱臭フィルター。
【請求項５】
前記防カビ部の一部は、隣り合う前記活性炭と前記活性炭との間の隙間を覆うことを特徴とする請求項２から４のいずれかに記載の脱臭フィルター。
【請求項６】
前記防カビ部は、ホットメルトに防カビ剤とカーボンブラックとを含有させたことを特徴とする請求項１から５のいずれかに記載の脱臭フィルター。
【請求項７】
請求項１〜６の何れかに記載の脱臭フィルターと、  花粉及び粉塵及び埃の微粒子の少なくともいずれかを捕捉する集塵フィルターと、  空気を吸引して前記脱臭フィルターおよび集塵フィルターを介して外部へ排気する送風手段と、を備えたことを特徴とする空気調和装置。
【発明の詳細な説明】
【技術分野】
【０００１】
本発明は、空気に含まれる臭い成分を吸着する活性炭を備えた脱臭フィルターに関するものである。
【背景技術】
【０００２】
従来のこの種、脱臭フィルターの構成は以下のようになっていた。
【０００３】
すなわち、格子形状の活性炭保持体と、この活性炭保持体に接着した多数の粒状の活性炭と、活性炭を接着した活性炭保持体を包むカバー部を備えた構成となっていた（例えばこれに類似する先行文献としては、下記特許文献１が存在する）。
【先行技術文献】
【特許文献】
【０００４】
【特許文献１】特開２００６−４３１０６号公報
【発明の概要】
【発明が解決しようとする課題】
【０００５】
上記従来例における課題は、活性炭の脱臭性能を低下させないように、活性炭に防カビ剤を付加することであった。
【０００６】
活性炭に防カビ剤を付加する場合に、活性炭に防カビ剤を含浸させることが考えられるが、活性炭の細孔内部に浸透し、細孔を塞いだり、細孔内表面の性状を変化させ脱臭性能を低下させるものであった。
【０００７】
そこで本発明は、活性炭の脱臭性能を低下させないように、活性炭に防カビ剤を付加することを目的とするものである。
【課題を解決するための手段】
【０００８】
そしてこの目的を達成するために本発明は、活性炭保持体と、この活性炭保持体に接着した多数の粒状の活性炭と、前記活性炭の表面に設けた防カビ部とからなり、前記防カビ部は、ホットメルトに防カビ剤を含有させ、前記活性炭の表面の一部に固着したことを特徴とするものであり、これにより初期の目的を達成するものである。
【発明の効果】
【０００９】
以上のように本発明は、活性炭保持体と、この活性炭保持体に接着した多数の粒状の活性炭と、前記活性炭の表面に設けた防カビ部とからなり、前記防カビ部は、ホットメルトに防カビ剤を含有させ、前記活性炭の表面の一部に固着したものであるので、活性炭の脱臭性能を低下させないように、活性炭に防カビ剤を付加することができる。
【００１０】
すなわち、防カビ部は、ホットメルトに防カビ剤を含有させたものなので、活性炭の表面の一部に固着させた場合に、活性炭の細孔内部まで入り込み難いものである。これにより、活性炭の脱臭性能の低下を抑制できると共に、活性炭の表面に発生するカビも抑制できる。
【００１１】
結果として、活性炭の脱臭性能を低下させないように、活性炭に防カビ剤を付加することができる。
【図面の簡単な説明】
【００１２】
【図１】本発明の実施の形態１の脱臭フィルターの概略断面を示す図
【図２】同脱臭フィルターにおける活性炭保持体と活性炭とを示す概略図
【図３】同脱臭フィルターの概略断面を示す図
【図４】同脱臭フィルターの活性炭と防カビ部とを示す図
【図５】同脱臭フィルターの活性炭と防カビ部の概略断面を示す図
【図６】同脱臭フィルターを適用した空気調和装置を示す斜視図
【図７】同脱臭フィルターを適用した空気調和装置の断面を示す図
【発明を実施するための形態】
【００１３】
以下、本発明の実施形態について図面を参照しながら説明する。
【００１４】
（実施の形態１）
図１から４に示すように、本実施形態の脱臭フィルター１は、活性炭保持体２と、活性炭３と、防カビ部４と、カバー部５とからなる。
【００１５】
活性炭保持体２は、格子形状のネット６で、正四角形状の開口７を備えている。この開口７の大きさは、５〜１２ｍｍである。ネット６の線径は、０．５〜２．０ｍｍである。活性炭保持体２であるネット６の表面には、ホットメルト８によって、活性炭３が接着している。
【００１６】
ネット６の表面に活性炭３をホットメルト８によって接着する接着方法を説明する。
【００１７】
まず、ホットメルト８を温めて液状にし、この液状のホットメルト８内に、ネット６を浸し、ネット６の表面にホットメルト８を塗布する。次に、このホットメルト８を塗布したネット６に、多数の粒状の活性炭３をふりかけ、液状のホットメルト８によってネット６に活性炭３を接着させる。最後に、液状のホットメルト８が固体になるまで、ネット６に活性炭３が付いた状態で冷却する。ここで、ネット６に活性炭３を固化接着した状態でも、ネット６の開口７は、活性炭３を接着する前の開口７に比べて、小さいものであるが、開口７を備えている。
【００１８】
活性炭３の表面には、防カビ部４が固着している。この防カビ部４を備えた活性炭３を接着した活性炭保持体２は、袋形状のカバー部５によって包まれている。
【００１９】
カバー部５は、活性炭３を通過させない目サイズのネット状で、活性炭保持体２を挟んで折り曲げ、３辺を縫い合わせて閉じる。
【００２０】
以上の構成である脱臭フィルター１は、図６から７に示すように、送風手段１４を備えた空気調和装置９に搭載される。具体的には、空気調和装置９は、吸込口１０と吹出口１１を備えた本体ケース１２と、この本体ケース１２内に、空気調和手段１３と送風手段１４を有している。空気調和手段１３と送風手段１４は、吸込口１０と吹出口１１とを連通する風路内に設けている。脱臭フィルター１は、吸込口と送風手段との間の風路に設けられる。送風手段１４が駆動すると、吸込口１０から空気を吸引して脱臭フィルター１および空気調和手段１３である集塵フィルターを介して外部へ排気する。脱臭フィルター１は、空気調和手段１３である集塵フィルターの風路における下流側に装着されている。ここで、吸込口１０から室内の空気が風路内に吸込まれ、この吸込まれた空気は、脱臭フィルター１における活性炭保持体２の正四角形状の開口７に対してほぼ垂直方向に送風される。なお、空気調和手段１３の１例は、花粉及び粉塵及び埃の微粒子の少なくともいずれかを捕捉する集塵フィルターである。このように、空気調和装置９に脱臭フィルター１を搭載すると、脱臭フィルター１にカビ菌が付着した場合に、このカビ菌を防カビ部４によって、不活化できるので、脱臭フィルター１に付着したカビ菌を、送風により、再放出することを抑制できる。
【００２１】
本実施形態において特徴は、図５に示すように、防カビ部４である。この防カビ部４は、ホットメルト１８に防カビ剤１９を含有させ、活性炭３の表面の一部に固着したものである。すなわち、防カビ部４は、ホットメルト１８に、防カビ剤１９を含有させたものなので、活性炭３の表面の一部に固着させた場合に、活性炭３の細孔内部まで入り込み難いものである。これにより、活性炭３の脱臭性能の低下を抑制できると共に、活性炭３の表面に発生するカビも抑制できる。
【００２２】
結果として、活性炭３の脱臭性能を低下させないように、活性炭３に防カビ剤１９を付加することができる。
【００２３】
この点について更に詳しく説明すると、活性炭３は、マクロ孔１５、メソ孔１６、ミクロ孔１７の３種類の細孔を備えている。活性炭３の表面から、活性炭３の内方に伸びた穴が、マクロ孔１５である。このマクロ孔１５の内面から多数の穴が活性炭３の内方へ伸びている。これが、メソ孔１６である。このメソ孔１６の内面から更に多数の穴が伸びている。これが、ミクロ孔１７である。これらの細孔の孔径は、マクロ孔１５、メソ孔１６、ミクロ孔１７の順に小さくなる。これらの細孔の中で、最も脱臭を行うのは、最も小さいミクロ孔１７である。このミクロ孔１７に臭い成分を閉じ込めるのが、活性炭３の脱臭メカニズムである。また、ミクロ孔１７は、他のメソ孔１６から伸びたミクロ孔１７と繋がっている。これにより、活性炭３の表面にある多数のマクロ孔１５の一部が塞がれても、脱臭効果は低下し難いものである。
【００２４】
そして、本実施形態のように、ホットメルト１８を溶かした状態で、活性炭３の表面に付着させると、ホットメルト１８の一部は、マクロ孔１５に入口に入り込むが、メソ孔１６、ミクロ孔１７には、入り込み難いと考えられる。
【００２５】
これは、ホットメルト１８を溶かした状態で活性炭３の表面に付着させても、ホットメルト１８は、粘度が高く、糊状であり、メソ孔１６、ミクロ孔１７の細孔が小さいので、メソ孔１６、ミクロ孔１７には、入り込み難いと考えられる。なお、メソ孔１６の孔径は、２から５０ｎｍで、ミクロ孔１７の孔径は、２ｎｍより小さいものである。これにより、活性炭３の脱臭性能の低下を抑制できると共に、活性炭３の表面に発生するカビも抑制できる。なお、ホットメルト１８の１例は、合成ゴム系ホットメルト接着剤である。
【００２６】
また、ホットメルト１８の一部は、活性炭のマクロ孔１５に入口に入り込むと考えられるので、活性炭３の表面に、固着したものは、活性炭３の表面から外れ難いと考えられる。
【００２７】
ここで、本実施形態における、防カビ部４の固着方法について具体的に説明する。
【００２８】
まず、ホットメルト１８を温めた状態で、粉末状の防カビ剤１９を混ぜ込み、ホットメルト１８内に防カビ剤１９を含有させる。なお、防カビ剤１９の１例は、有機金属化合物、有機金属化合物、無機化合物である。この防カビ剤１９を含有したホットメルト１８をスプレーガンで、活性炭３を接着したネット６の一方面に吹き付ける。スプレーガンは、先端中央の孔から、糸状のホットメルト１８を吹き出すと同時に、その中央の孔の周囲にある多数の孔から、中央の孔からの吹き付けとほぼ同じ方向に、活性炭３を接着したネット６の一方面へ、空気が吹き出す。
【００２９】
これにより、スプレーガンの中央の孔から出た、糸状のホットメルトが、裂け、糸状のホットメルトより細い複数の糸状となる。この複数の細い糸状のホットメルト１８が、活性炭を接着したネット６の一方面の全体を覆うように、層となって活性炭３の表面の一部に固着する。つまり、複数の細い糸状のホットメルト１８の層が、ネット６の開口７を覆うように、活性炭３の表面の一部に固着する。ここで、細い複数の糸状となった防カビ剤１９を含有したホットメルト１８は、粘度が高く、糊状なので、活性炭の表面に付着した時に、活性炭３の細孔内部まで入り込み難いものである。そして、この複数の細い糸状のホットメルト１８が、活性炭３を接着したネット６の一方面の全体を覆うように、層となって活性炭３の表面の一部に固着する。つまり、複数の細い糸状のホットメルト１８の層が、ネット６の開口を覆うように、活性炭３の表面の一部に固着する。但し、この細い糸状のホットメルト１８の層は、隙間を備えているので、細い糸状のホットメルト１８は、活性炭３の表面の全体を覆うものでなく、活性炭３の表面の一部のみを覆うものである。
【００３０】
次に、同様に、防カビ剤１９を含有したホットメルト１８をスプレーガンで、活性炭３を接着したネットの他方面に吹き付ける。
【００３１】
これにより、スプレーガンの中央の孔から出た、糸状のホットメルトが、裂け、糸状のホットメルト１８より細い複数の糸状となる。ここで、細い複数の糸状となった防カビ剤１９を含有したホットメルト１８は、粘度が高く、糊状なので、活性炭３の表面に付着した時に、活性炭３の細孔内部まで入り込み難いものである。そして、この複数の細い糸状のホットメルト１８が、活性炭３を接着したネット６の他方面の全体を覆うように、層となって活性炭３の表面の一部に固着する。つまり、複数の細い糸状のホットメルト１８の層が、ネット６の開口を覆うように、活性炭３の表面の一部に固着する。但し、この細い糸状のホットメルト１８の層は、隙間を備えているので、細い糸状のホットメルト１８は、活性炭３の表面の全体を覆うものでなく、活性炭３の表面の一部のみを覆うものである。
【００３２】
最後に、活性炭３を固着したネット６の一方面へ、熱風送風装置によって、熱風を送風する。この熱風によって、活性炭３の表面に固着していない防カビ部４である細い糸状のホットメルト１８の一部が、活性炭３の表面に固着する。更に、活性炭３を固着したネット６の多方面へ、熱風送風装置によって、熱風を送風する。この熱風によって、活性炭３の表面に固着していない防カビ部４である細い糸状のホットメルト１８の一部が、活性炭３の表面に固着する。ここで、細い糸状のホットメルト１８は、表面が溶けているが、粘度が高く、糊状なので、活性炭３の表面に付着した時に、活性炭３の細孔内部まで入り込み難いものである。
【００３３】
なお、熱風送風装置によって、活性炭３を接着したネット６の一方面、または多方面へ熱風を送風する送風方向は、送風手段１４を備えた空気調和装置９に、脱臭フィルター１を搭載した場合に、送風手段１４によって室内の空気が、脱臭フィルター１へ送風される方向と同じである。
【００３４】
以上の方法により、防カビ剤１９を含有させホットメルト１８を、活性炭３の表面の一部に固着させると、防カビ部４の少なくとも一部は、糸形状となる。これにより、防カビ部４の表面積が大きくなるので、活性炭３の表面に発生するカビを更に抑制できる。
【００３５】
また、ホットメルト１８の一部は、活性炭３の表面のマクロ孔１５に入口に入り込み固化するので、糸形状のホットメルト１８でも、活性炭３の表面に固着し易いと考えられる。
【００３６】
また、防カビ部４の少なくとも一部は、網目形状となる。これにより、繊維形状の防カビ部４が交差し、その交差部２０が固着し合い、網目形状を形成するので、防カビ部４の強度を向上できるものである。
【００３７】
また、防カビ部４である糸状のホットメルト１８が、複数の活性炭３の表面に跨って固着する。すなわち、防カビ部４の一部は、活性炭３の表面との間に空間部２１を備えたもとなる。これにより、防カビ部４の一部は、活性炭３の表面との間に空間部２１を備えているので、防カビ部４の表面積が大きくなり、活性炭３の表面に発生するカビも更に抑制できる。
【００３８】
また、活性炭３を固着したネット６の一方面へ、熱風送風装置によって、熱風を送風することによって、ネット６の開口７内の細い糸状のホットメルトが、溶けると共に、ネット６の開口７の内面の活性炭３に、ネット６の開口７内の細い糸状のホットメルト１８が固着する。これによって、ネット６の一方面側、他方面側、およびネット６の開口の内面側に接着した活性炭３の表面の一部に、防カビ剤１９を含有したホットメルト１８を固着できる。なお、熱風の温度は、活性炭３表面の細い糸状のホットメルト１８の表面が溶ける程度でよい。
【００３９】
更に、活性炭３を固着したネットの一方面、または多方面へ、熱風送風装置によって、熱風を送風することによって、活性炭３の表面に固着していない防カビ部４である細い糸状のホットメルト１８の一部が、隣り合う活性炭と活性炭との間の隙間２２に入り込み、この隣り合う活性炭３ａと活性炭３ｂとの間に入り込んだ状態で、活性炭３ａと活性炭３ｂとに固着すると考えられる。すなわち、防カビ部４の少なくとも一部は、隣り合う活性炭３ａと活性炭３ｂとの間の隙間２２を覆うと共に、活性炭３ａと活性炭３ｂの表面の一部に固着するものである。これにより、活性炭３ａと活性炭３ｂとの間の隙間２２にカビの菌が入り込むのを抑制できる。
【００４０】
また、防カビ部４は、ホットメルト１８に防カビ剤１９、更に、カーボンブラック２３を含有させ、活性炭３の表面の一部に固着したものでもよい。これにより、ホットメルト１８にカーボンブラック２３を含有させたものを固化させると、カーボンブラック２３は固体であるので、ホットメルト１８とカーボンブラック２３との間にわずかではあるが隙間が発生する。この隙間によって、防カビ剤１９がホットメルト１８の表面、つまり防カビ部４の表面に出やすくなると考えられる。これは、防カビ剤１９の分子は、ホットメルト１８内を移動するものであるが、ホットメルト１８内の移動に比べ、ホットメルト１８の表面、つまりホットメルト１８とカーボンブラック２３との間にわずかではあるが隙間の表面が移動し易いと考えられる。
【００４１】
更に、カーボンブラック２３は、カーボンブラック２３内に隙間を有するものである。このカーボンブラック２３内に隙間、つまりカーボンブラック２３の内面も、防カビ剤１９の分子は、ホットメルト１８内の移動に比べ、移動し易いと考えられる。すなわち、防カビ部４は、ホットメルト１８に防カビ剤１９、更に、カーボンブラック２３を含有させることにより、防カビ剤１９が、防カビ部４の表面に出やすくなり、活性炭３の表面に発生するカビも更に抑制できる。
【００４２】
また、ホットメルト８とホットメルト１８とは、同じ材質でもよい。これにより、ネット６に活性炭３を固化接着させるホットメルト８と、防カビ部４に用いるホットメルト１８とを流用できる。すなわち、複数の種類のホットメルトを用意せず、１種類のホットメルトで対応できるので、脱臭フィルター１の生産効率が向上する。
【産業上の利用可能性】
【００４３】
以上のように本発明は、活性炭保持体と、この活性炭保持体に接着した多数の粒状の活性炭と、前記活性炭の表面に設けた防カビ部と、前記防カビ部を備えた前記活性炭を接着した前記活性炭保持体を包むカバー部とからなり、前記防カビ部は、ホットメルトに防カビ剤を含有させ、前記活性炭の表面の一部に固着したものであるので、活性炭の脱臭性能を低下させないように、活性炭に防カビ剤を付加することができる。
【００４４】
すなわち、防カビ部は、熱可塑性樹脂を主成分としたホットメルトに防カビ剤を含有させたものなので、活性炭の表面の一部に固着させた場合に、活性炭の細孔内部まで入り込み難いものである。これにより、活性炭の脱臭性能の低下を抑制できると共に、活性炭の表面に発生するカビも抑制できる。
【００４５】
結果として、活性炭の脱臭性能を低下させないように、活性炭に防カビ剤を付加することができる。
【００４６】
従って、家庭用や事務用などの、空気調和装置への活用が期待されるものである。
【符号の説明】
【００４７】
１      脱臭フィルター
２      活性炭保持体
３      活性炭
３ａ    活性炭
３ｂ    活性炭
４      防カビ部
５      カバー部
６      ネット
７      開口
８      ホットメルト
９      空気調和装置
１０      吸込口
１１      吹出口
１２      本体ケース
１３      空気調和手段
１４      送風手段
１５      マクロ孔
１６      メソ孔
１７      ミクロ孔
１８      ホットメルト
１９      防カビ剤
２０      交差部
２１      空間部
２２      隙間
２３      カーボンブラック
【図１】
2015062629.tif 000003
【図２】
2015062629.tif 000004
【図３】
2015062629.tif 000005
【図４】
2015062629.tif 000006
【図５】
2015062629.tif 000007
【図６】
2015062629.tif 000008
【図７】
2015062629.tif 000009